(57)【要約】      （修正有）【課題】容易に取り付けることが可能となる表示灯装置を提供すること。【解決手段】居住領域についての警報を発光により行う表示灯装置１００であって、他の機器との間で通信を行う通信部と、発光部１１を備える本体部１と、本体部を居住領域の扉に取り付ける取付部２と、を備える。表示灯装置は、通信部を介して行われる通信に基づいて、発光部を発光させ、また、取付部は、扉９００の上部に取り付けられる。本体部は、扉の一方の面に設けられ、取付部は、本体部から扉の天面を介して扉の他方の面まで、扉に沿って延在しており、扉の一部を挟持している。表示灯装置は、無線通信を行い、取付部は、無線通信で用いられるアンテナであり、また、取付部は、第１部分２１、第２部分２２、及び第３部分２３を備える。【選択図】図３
2020035047.tif 000002
【特許請求の範囲】
【請求項１】
居住領域についての警報を発光により行う表示灯装置であって、
他の機器との間で通信を行う通信手段と、
発光手段を備える本体部と、
前記本体部を前記居住領域の扉に取り付ける取付手段と、を備え、
前記表示灯装置は、前記通信手段を介して行われる通信に基づいて、前記発光手段を発光させる、
表示灯装置。
【請求項２】
前記取付手段は、前記扉の上部に取り付けられる、
請求項１に記載の表示灯装置。
【請求項３】
前記本体部は、前記扉の一方の面に設けられ、
前記取付手段は、前記本体部から前記扉の天面を介して当該扉の他方の面まで、当該扉に沿って延在しており、前記扉の一部を挟持している、
請求項２に記載の表示灯装置。
【請求項４】
前記通信手段は、無線通信を行い、
前記取付手段は、前記無線通信で用いられるアンテナである、
請求項１から３の何れか一項に記載の表示灯装置。
【請求項５】
前記表示灯装置は、異常である火災についての警報を発光により行う、
請求項１から４の何れか一項に記載に表示灯装置。
【請求項６】
前記他の機器は、前記居住領域に居住している管理対象者を管理するための第１管理手段を含み、
前記通信手段は、前記第１管理手段が管理している前記管理対象者の状態に関する情報である第１管理情報を受信し、
前記表示灯装置は、前記通信手段が受信した前記第１管理情報に基づいて、前記発光手段を発光させる、
請求項１から５の何れか一項に記載に表示灯装置。
【請求項７】
前記他の機器は、前記居住領域を管理するための第２管理手段を含み、
前記通信手段は、前記第２管理手段が管理している前記居住領域の環境に関する情報である第２管理情報を受信し、
前記表示灯装置は、前記通信手段が受信した前記第２管理情報に基づいて、前記発光手段を発光させる、
請求項１から６の何れか一項に記載に表示灯装置。
【請求項８】
前記他の機器は、前記居住領域の管理者に通報する通報手段を含み、
前記通信手段は、前記通報手段が前記管理者に通報したことを示す情報である通報情報を受信し、
前記表示灯装置は、前記通信手段が受信した前記通報情報に基づいて、前記発光手段を発光させる、
請求項１から７の何れか一項に記載に表示灯装置。
【発明の詳細な説明】
【技術分野】
【０００１】
本発明は、表示灯装置に関する。
【背景技術】
【０００２】
従来、火災を警報する住宅用警報器が知られていた（例えば、特許文献１参照）。この住宅用警報器は、例えば部屋等の居住領域の天井に設置され、火災を検出した場合に警報音を出力することにより、火災の発生を報知していた。
【先行技術文献】
【特許文献】
【０００３】
【特許文献１】特開２０１０−１０８０８３号公報
【発明の概要】
【発明が解決しようとする課題】
【０００４】
ところで、防災性向上の観点から住宅用警報器に加えて表示灯装置も用いられることがあり、この表示灯装置は、例えば、住宅用警報器からの移報信号（例えば、火災が発生したことを特定する電気信号）を受信した場合に、発光により火災の発生を報知していた。
【０００５】
しかしながら、この表示灯装置については、例えば、天井に対してネジ止め等することにより取り付けられていたので、居住領域内の部材である天井材の少なくとも一部に加工（一例としては、ネジによる螺合）する必要があり、取り付けが手間となっていた。
【０００６】
本発明は上記問題に鑑みてなされたもので、容易に取り付けることが可能となる表示灯装置を提供することを目的とする。
【課題を解決するための手段】
【０００７】
上述した課題を解決し、目的を達成するために、請求項１に記載の表示灯装置は、居住領域についての警報を発光により行う表示灯装置であって、他の機器との間で通信を行う通信手段と、発光手段を備える本体部と、前記本体部を前記居住領域の扉に取り付ける取付手段と、を備え、前記表示灯装置は、前記通信手段を介して行われる通信に基づいて、前記発光手段を発光させる。
【０００８】
また、請求項２に記載の表示灯装置は、請求項１に記載の表示灯装置において、前記取付手段は、前記扉の上部に取り付けられる。
【０００９】
また、請求項３に記載の表示灯装置は、請求項２に記載の表示灯装置において、前記本体部は、前記扉の一方の面に設けられ、前記取付手段は、前記本体部から前記扉の天面を介して当該扉の他方の面まで、当該扉に沿って延在しており、前記扉の一部を挟持している。
【００１０】
また、請求項４に記載の表示灯装置は、請求項１から３の何れか一項に記載の表示灯装置において、前記通信手段は、無線通信を行い、前記取付手段は、前記無線通信で用いられるアンテナである。
【００１１】
また、請求項５に記載の表示灯装置は、請求項１から４の何れか一項に記載の表示灯装置において、前記表示灯装置は、異常である火災についての警報を発光により行う。
【００１２】
また、請求項６に記載の表示灯装置は、請求項１から５の何れか一項に記載の表示灯装置において、前記他の機器は、前記居住領域に居住している管理対象者を管理するための第１管理手段を含み、前記通信手段は、前記第１管理手段が管理している前記管理対象者の状態に関する情報である第１管理情報を受信し、前記表示灯装置は、前記通信手段が受信した前記第１管理情報に基づいて、前記発光手段を発光させる。
【００１３】
また、請求項７に記載の表示灯装置は、請求項１から６の何れか一項に記載の表示灯装置において、前記他の機器は、前記居住領域を管理するための第２管理手段を含み、前記通信手段は、前記第２管理手段が管理している前記居住領域の環境に関する情報である第２管理情報を受信し、前記表示灯装置は、前記通信手段が受信した前記第２管理情報に基づいて、前記発光手段を発光させる。
【００１４】
また、請求項８に記載の表示灯装置は、請求項１から７の何れか一項に記載の表示灯装置において、前記他の機器は、前記居住領域の管理者に通報する通報手段を含み、前記通信手段は、前記通報手段が前記管理者に通報したことを示す情報である通報情報を受信し、前記表示灯装置は、前記通信手段が受信した前記通報情報に基づいて、前記発光手段を発光させる。
【発明の効果】
【００１５】
請求項１に記載の表示灯装置によれば、本体部を居住領域の扉に取り付ける取付手段を備えることにより、例えば、扉を加工せずに本体部を取り付けることができるので、表示灯装置の取り付けを容易に行うことが可能となる。特に、本体部を扉における居住領域の外部側に取り付けた場合、居住領域の外部に対して警報を行うことができるので、居住領域の外部に対して火災等の発生を報知することができ、居住領域の外部の人に、通報、避難、消火、又は救助等の防災に関する適切な対応をとらせることが可能となる。また、警報を発光により行うことにより、例えば、騒然としている場合においても、視覚を通じて確実に警報を認識させることが可能となる。
【００１６】
請求項２に記載の表示灯装置によれば、取付手段は扉の上部に取り付けられることにより、例えば、本体部を比較的高い位置に取り付けることができ、発光手段の光の到達範囲を広げることが可能となる。
【００１７】
請求項３に記載の表示灯装置によれば、取付手段は、本体部から扉の天面を介して当該扉の他方の面まで、当該扉に沿って延在しており、扉の一部を挟持することにより、例えば、取付手段を扉の上部に引っ掛けて固定することができるので、表示灯装置を容易に取り付けることが可能となり、また、当該表示灯装置の位置がずれるのを防止することが可能となる。
【００１８】
請求項４に記載の表示灯装置によれば、取付手段は無線通信で用いられるアンテナであることにより、例えば、取付手段に対して、本体部を取り付ける機能及び電波を送受信する機能を含む複数の機能を持たせることができるので、部品点数を削減でき、コスト削減及び軽量化を行うことが可能となる。
【００１９】
請求項５に記載の表示灯装置によれば、異常である火災についての警報を発光により行うことにより、例えば、火災発生時の騒然とした環境下で、難聴者又は健常者に対して視覚を介して火災発生を警報することができるので、防災性を向上させることが可能となる。
【００２０】
請求項６に記載の表示灯装置によれば、受信した第１管理情報に基づいて、発光手段を発光させることにより、例えば、居住領域に居住している管理対象者の状態を報知することが可能となる。特に、例えば、管理対象者の状態として、管理対象者の外出又は帰宅、あるいは、管理対象者の生活リズムの異常等を報知することが可能となる。
【００２１】
請求項７に記載の表示灯装置によれば、受信した第２管理情報に基づいて、発光手段を発光させることにより、例えば、居住領域に関する環境を報知することが可能となる。特に、例えば、居住領域の温度又は湿度の異常等を報知することが可能となる。
【００２２】
請求項８に記載の表示灯装置によれば、受信した通報情報に基づいて、発光手段を発光させることにより、例えば、通報が行われたことを報知することが可能となる。特に、例えば、通報が行われて居住領域で何等かの異常が発生した可能性を報知することが可能となる。
【図面の簡単な説明】
【００２３】
【図１】本実施の形態に係る表示灯装置の正面図である。
【図２】表示灯装置の背面図である。
【図３】表示灯装置の拡大側面図である。
【図４】他の表示灯装置の拡大側面図である。
【図５】他の表示灯装置の拡大側面図である。
【図６】他の表示灯装置の拡大側面図である。
【００２４】
以下に、本発明に係る表示灯装置の実施の形態を図面に基づいて詳細に説明する。なお、この実施の形態によりこの発明が限定されるものではない。
【００２５】
〔実施の形態の基本的概念〕
まずは、実施の形態の基本的概念について説明する。実施の形態は、概略的に、表示灯装置に関するものである。
【００２６】
ここで、「表示灯装置」とは、居住領域についての警報を発光により行う警報手段であり、居住領域の内部又は外部に対して発光する装置であり、例えば、他の機器との間で有線通信を行う装置、あるいは、他の機器との間で無線通信を行う装置等を含む概念であり、一例としては、居住領域の内部又は外部での異常を警報する装置等を含む概念である。また、「表示灯装置」とは、例えば、通信手段、本体部、及び取付部を備える。なお、「異常」とは、通常とは異なることであり、例えば、火災発生、ガス漏れ、及び不審者侵入等を含む概念である。また、「表示灯装置」とは、例えば、バッテリ（電池を含む）等の内部電源を備えており当該内部電源により動作する装置、及び、例えば、外部電源（商用電源等）と電力線で接続することにより動作する装置等を含む概念である。
【００２７】
また、「居住領域」とは、居住者が居住している領域であり、例えば、マンション又はアパートの如き共同住宅における各住戸、仮設住宅、及び団地における各一戸建て住宅等を含む概念である。「居住者」とは、居住領域に居住している人（動物も含む）である。
【００２８】
また、「通信手段」とは、他の機器との間で通信を行う手段であり、例えば、任意の通信規格又は通信方式で無線通信又は有線通信を行うための通信回路又は通信モジュール等を含む概念である。
【００２９】
また、「本体部」とは、発光手段を備えるものであり、例えば、扉の一方の面に設けられる部分であり、一例としては、表示灯装置の外形を形成するものである。なお、「発光手段」とは、光を出力する手段であり、具体的には、光源を備える装置、及び光源自体であり、例えば、発光ダイオード（ＬＥＤ：Ｌｉｇｈｔ  Ｅｍｉｔｔｉｎｇ  Ｄｉｏｄｅ）、蛍光灯、及び白熱球等を含む概念である。
【００３０】
また、「取付手段」とは、本体部を居住領域の扉に取り付ける手段であり、例えば、任意の構造により実現される手段であり、また、本体部の取り付け機能のみを有する手段、あるいは、本体部の取り付け機能以外の任意の機能も有する手段等を含む概念である。「取付手段」とは、例えば、本体部を扉の上部に取り付けるものを含む概念であり、また、本体部から扉の天面を介して扉の他方の面まで、当該扉に沿って延在しており、扉の一部を挟持しているものを含む概念であり、また、無線通信で用いられるアンテナとしての機能を有するものを含む概念である。
【００３１】
また、「他の機器」とは、表示灯装置との間で通信を行う装置であり、例えば、感知器、及び管理装置等を含む概念である。なお、「感知器」とは、異常である火災やガス漏れ等を検出する装置であり、例えば、火災感知器、煙感知器、及びガス漏れ感知器等を含む概念である。
【００３２】
また、「管理装置」とは、居住領域に関して管理を行う装置であり、具体的には、１個のみの装置、あるいは、相互に連動して動作する複数個の装置等を含む概念であり、例えば、防犯やみまもり用途の人感センサ、窓や扉の開閉センサ、徘徊感知器（一例としては、後述のタグ装置や後述のタグ感知器からなる装置等であり、管理対象者の徘徊を管理する機能を備える装置等）等を含む概念である。「管理装置」とは、例えば、第１管理手段、第２管理手段、又は通報手段のうちの少なくとも１個以上の手段を備える装置等を含む概念である。「第１管理手段」とは、居住領域に居住している管理対象者を管理するための手段等を含む概念であり、「第２管理手段」とは、居住領域を管理するための手段等を含む概念であり、「通報手段」とは、居住領域の管理者に通報する手段等を含む概念である。
【００３３】
また、「管理対象者」とは、居住領域に居住している人等であり、前述の居住者に対応する概念である。「管理者」とは、居住領域を管理する者であり、例えば、警備会社の管理担当者等を含む概念である。
【００３４】
そして、以下の実施の形態では、「表示灯装置」が、他の機器との間で無線通信を行う装置であり、また、「取付手段」が、無線通信で用いられるアンテナとしての機能を有するものである場合を例示して説明する。
【００３５】
（構成）
まず、本実施の形態に係る表示灯装置の構成について説明する。図１は、本実施の形態に係る表示灯装置の正面図であり、図２は、表示灯装置の背面図であり、図３は、表示灯装置の拡大側面図である。なお、図１〜図３においては、表示灯装置１００が、居住領域である部屋の内外を区画する扉９００に取り付けられている状態を図示している（後述する他の図面も同様とする）。
【００３６】
なお、以下の説明では、各図に示すＸ―Ｙ―Ｚが互いに直交する方向であり、具体的には、Ｚ方向が鉛直方向（つまり、重力が働く方向）であって、Ｘ方向及びＹ方向が鉛直方向に対して直交する水平方向であるものとして、例えば、Ｚ方向を高さ方向と称し、＋Ｚ方向を上側（平面）と称し、−Ｚ方向を下側（底面）と称して説明する。また、例えば、Ｙ方向を扉９００の厚み方向と称し、＋Ｙ方向を部屋の内側又は内側と称し、−Ｙ方向を部屋の外側又は外側と称して説明する。また、Ｘ方向を扉９００の幅方向と称して説明する。
【００３７】
これら各図に示す表示灯装置１００は、居住領域についての警報を発光により行う装置であり、具体的には、扉９００における上側（＋Ｚ方向）の一部（上部）に取り付けられている装置であり、例えば、不図示のバッテリ（電池）を備えており当該バッテリにより動作する装置であり、また、他の機器との間で無線通信を行う装置である。
【００３８】
なお、この表示灯装置１００と通信を行う他の機器は任意であるが、例えば、居住領域の内部に設けられている無線通信可能な感知器であることとして説明する。また、表示灯装置１００についての以下で特記する構成以外の構成（特に、電気的な構成等）については、公知の技術を含む任意の技術を用いて実現することができるので、説明を省略する。また、表示灯装置１００は、一例としては、本体部１、及び取付部２を備える。
【００３９】
（構成‐本体部）
本体部１は、表示灯装置１００の各種要素（例えば、不図示のバッテリ、通信部、制御部等）を収容する収容手段であり、具体的には、筐体であり、例えば、扉９００における外側（−Ｙ方向）の面に設けられるものであり、また、薄型の矩形柱形状のものであり、また、任意の材料（例えば、金属又は樹脂等）で形成されるものであり、また、発光部１１、不図示の通信部、及び不図示の制御部を備えるものである。
【００４０】
（構成‐本体部‐発光部）
発光部１１は、光を出力する発光手段であり、例えば、ＬＥＤ等を用いて構成することができるものである。
【００４１】
（構成‐本体部‐通信部）
不図示の通信部は、他の機器との間で通信を行う通信手段である。この通信部の具体的な種類や構成は任意であるが、例えば、本体部１に収容されている任意の通信回路として構成することができる。
【００４２】
（構成‐本体部‐制御部）
不図示の制御部は、表示灯装置１００を制御する制御手段であって、本体部１に収容されている手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態に係る制御プログラムは、任意の記録媒体又はネットワークを介して表示灯装置１００にインストールされることで、制御部の各部を実質的に構成する。
【００４３】
（構成‐取付部）
取付部２は、本体部１を居住領域の扉９００に取り付ける取付手段であり、例えば、扉９００における上側（＋Ｚ方向）の一部（上部）に取り付けられるものであり、また、本体部１から扉９００の天面（扉９００における上側（＋Ｚ方向）の面）を介して当該扉９００の他方の面まで、扉９００に沿って延在しており、扉９００の一部を挟持しているものであり、また、無線通信で用いられるアンテナとして機能するものである。この取付部２の具体的な種類や構成は任意であるが、例えば、電波の送信状態又は受信状態等の実験を行って、他の機器である感知器との間で不図示の通信部を介して無線通信が可能となるように設計して構成してもよく、一例としては、金属製ものであり、また、本体部１に固定されているものであり、また、図３に示すように、第１部分２１、第２部分２２、及び第３部分２３を備える。
【００４４】
（構成‐取付部‐各部分）
第１部分２１は、本体部１から上側（＋Ｚ方向）に向かって延在している部分である。また、第２部分２２は、第１部分２１の上側（＋Ｚ方向）の端部から水平方向（Ｙ軸方向）において、本体部１の発光部１１から離れる方向（＋Ｙ軸方向）に沿って延在している部分である。また、第３部分２３は、第２部分２２における＋Ｙ方向の端部から下側（−Ｚ方向）に向かって延在している部分である。なお、第３部分２３の高さ方向（Ｚ軸方向）の長さは任意であるが、例えば、第３部分２３の下端が本体部１の一部と同様な高さとなるように当該長さが設定されている。
【００４５】
（取付手法）
次に、表示灯装置１００の取付手法について説明する。扉９００を開いた状態で、取付部２を当該扉９００における上側（＋Ｚ方向）の一部（上部）に引っ掛けて取り付ける。このようにして、図１〜図３に示すように、表示灯装置１００が扉９００に取り付けられる。
【００４６】
（動作）
次に、表示灯装置１００の動作について説明する。ここでは、例えば、居住領域の内部の不図示の感知器が火災を検出して発報信号を無線送信した場合の動作を説明する。この場合、まず、不図示の感知器からの発報信号は、アンテナとして機能する取付部２に到達する。次に、表示灯装置１００の不図示の通信部がアンテナとして機能する取付部２を介して発報信号を受信し、この場合、表示灯装置１００の不図示の制御部（例えば、ＣＰＵ等）は、居住領域での火災発生を警報して報知するために、発光部１１から光を出力する。この場合、居住領域の外部の人は、居住領域での火災発生を把握することができるので、通報、避難、消火、又は救助等の防災に関する適切な対応をとることが可能となる。
【００４７】
（実施の形態の効果）
このように本実施の形態によれば、本体部１を居住領域の扉９００に取り付ける取付部２を備えることにより、例えば、扉９００を加工せずに本体部１を取り付けることができるので、表示灯装置１００の取り付けを容易に行うことが可能となる。特に、本体部１を扉９００における居住領域の外部側に取り付けた場合、居住領域の外部に対して警報を行うことができるので、居住領域の外部に対して火災等の発生を報知することができ、居住領域の外部の人に、通報、避難、消火、又は救助等の防災に関する適切な対応をとらせることが可能となる。また、警報を発光により行うことにより、例えば、騒然としている場合においても、視覚を通じて確実に警報を認識させることが可能となる。
【００４８】
また、取付部２は扉９００の上部に取り付けられることにより、例えば、本体部１を比較的高い位置に取り付けることができ、発光部１１の光の到達範囲を広げることが可能となる。
【００４９】
また、取付部２は、本体部１から扉９００の天面を介して当該扉９００の他方の面まで、当該扉に沿って延在しており、扉９００の一部を挟持することにより、例えば、取付部２を扉９００の上部に引っ掛けて固定することができるので、表示灯装置１００を容易に取り付けることが可能となり、また、当該表示灯装置１００の位置がずれるのを防止することが可能となる。
【００５０】
また、取付部２は無線通信で用いられるアンテナであることにより、例えば、取付部２に対して、本体部１を取り付ける機能及び電波を送受信する機能を含む複数の機能を持たせることができるので、部品点数を削減でき、コスト削減及び軽量化を行うことが可能となる。
【００５１】
また、異常である火災についての警報を発光により行うことにより、例えば、火災発生時の騒然とした環境下で、難聴者又は健常者に対して視覚を介して火災発生を警報することができるので、防災性を向上させることが可能となる。
【００５２】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５３】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００５４】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。例えば、上述の各特徴のうちの任意のものを従来のものに置き換えてもよい。
【００５５】
（他の構成について）
また、上記実施の形態の表示灯装置１００の１つの要素として、取付部２と扉９００との間に絶縁体シートの如き絶縁手段を設けて、取付部２と扉９００との間を電気的に絶縁してもよい。なお、絶縁体シートとしては、例えば、ゴム又はエボナイト等の任意の材料にて形成されるシート材を用いてもよい。このように構成した場合、扉９００が金属製の扉であったとしても、当該扉９００と取付部２との間の電気的結合による無線通信への悪影響を防止することが可能となる。特に、絶縁体シートとしてゴムを用いた場合、取付部２と扉９００との間の相互間の接触により、扉９００に傷がつくのを防止することが可能となる。
【００５６】
（取付部について（その１））
また、上記実施の形態の取付部２の形状を任意に変更してもよい。図４〜図６は、他の表示灯装置の拡大側面図である。例えば、図３の取付部２の第３部分２３を、図４に示すように、本体部１よりも下側（−Ｙ方向）まで延在させることにより、表示灯装置１０１を構成してもよい。また、例えば、図３の取付部２の第３部分２３の下側（−Ｙ方向）の端部に対して、図５に示すように、下側（−Ｙ方向）に向かうにつれて本体部１から離れるように傾斜する外側傾斜部分３１を設けることにより、表示灯装置１０２を構成してもよい。また、例えば、図３の取付部２の第２部分２２を伸ばした上で、取付部２の第３部分２３の下側（−Ｙ方向）の端部に対して、図６に示すように、下側（−Ｙ方向）に向かうにつれて本体部１に近付くように傾斜する内側傾斜部分３２を設けることにより、表示灯装置１０３を構成してもよい。また、例えば、取付部２のアンテナとしての機能を確保できる他の任意の形状に変更してもよい。また、例えば、図３の取付部２の第１部分２１の長さを伸ばすことにより、本体部１を扉９００における上部以外の任意の位置に取り付けてもよい。
【００５７】
（取付部について（その２））
また、取付部２の代わりに、吸着盤の如き取付部を取付手段として用いてもよい。この場合、扉９００の上部以外の任意の場所に本体部１を設けることが可能となる。なお、この場合、公知のアンテナを本体部１に別途設けてもよい。
【００５８】
（他の機能について）
また、上記実施の形態の表示灯装置１００に対して、他の機能を設けてもよい。例えば、警報音を出力するスピーカの如き音声出力手段を設けた上で、警報音を当該音声出力手段から出力することにより警報するように構成してもよい。
【００５９】
（他の機器について）
また、上記実施の形態では、他の機器として感知器を用いる場合を例示して説明したが、他の機器として管理装置を用いる場合に表示灯装置１００を適用してもよい。特に、管理装置として、タグ装置、及びタグ感知器を用いる場合を例示して説明する。
【００６０】
（他の機器について‐第１管理手段）
「タグ装置」とは、図１の扉９００の住宅の居住者（管理対象者）によって携帯される装置であり、例えば、任意の無線通信技術（例えば、ブルートゥース（登録商標）等）により所定距離（一例としては、１０ｍ〜２０ｍ等）内で無線通信可能となる装置である。また、「タグ感知器」とは、図１の扉９００の住宅に設置される装置であり、例えば、公知の感知器に対して無線通信を行って任意の処理を行う機能を追加した装置である。そして、これらのタグ装置及びタグ感知器は、相互に通信するように構成されており、また、タグ感知器は、管理対象者の状態を検出して、検出した管理対象者の状態を特定する情報（第１管理情報）を表示灯装置１００に送信するように構成してもよい。なお、例えば、タグ感知器における管理対象者の状態を検出する機能が、「第１管理手段」に相当する。
【００６１】
「管理対象者の状態」とは、例えば、管理対象者が外出した状態、管理対象者が帰宅した状態、管理対象者に異常が発生した可能性がある状態等を含む概念である。そして、タグ感知器がこれらの各状態を検出する手法は任意であるが、例えば、以下のようにして検出してもよい。具体的には、タグ装置が所定時間間隔（例えば、１０秒〜２０秒等）で通信信号を出力するように構成した上で、タグ感知器が、当該タグ装置からの通信信号を受信できる状態から受信できない状態に変化した場合に、管理対象者が外出したことを検出し、また、逆に、通信信号を受信できない状態から受信できる状態に変化した場合に、管理対象者が帰宅したことことを検出してもよい。また、タグ感知器が、一定強度のタグ装置からの通信信号を一定時間（例えば、１５分間〜２０分間等）以上受信し続けた場合、管理対象者が動けない状態となっている可能性があるので、管理対象者に異常が発生した可能性がある状態を検出してもよい。
【００６２】
そして、タグ感知器が、検出した管理対象者の状態を特定する情報を送信した場合、表示灯装置１００の通信部は、アンテナとして機能する取付部２を介して当該情報を受信し、この場合、表示灯装置１００の不図示の制御部（例えば、ＣＰＵ等）は、検出した管理対象者の状態を警報して報知するために、発光部１１から光を出力する。なお、ここでの発光部１１の発光態様は任意であり、受信した情報が特定する上述の管理対象者の各状態（管理対象者が外出した状態、管理対象者が帰宅した状態、管理対象者に異常が発生した可能性がある状態）に対して共通な発光態様にて発光させてもよいし、あるいは、各状態を報知するために相互に異なる発光態様にて発光させてもよい。なお、相互に異なる発光態様にて発光させる場合、例えば、発光タイミング、発光間隔、発光色等を相互に異ならせてもよい。
【００６３】
（他の機器について‐第２管理手段）
また、「（他の機器について‐第１管理手段）」で説明したタグ装置又はタグ感知器の機能に加えて又は当該機能の代わりに、扉９００の住宅内の環境に関する物理量である温度又は湿度を測定する機能（当該機能としては公知の構成を適用できるので詳細な説明は省略する）を、タグ装置又はタグ感知器に設けてもよい。そして、これらのタグ装置及びタグ感知器は、所定時間間隔（例えば、１０秒〜２０秒等）で温度又は湿度を測定し、測定した温度又は湿度が所定の範囲（例えば、温度については２０度以上〜２９度以下等、湿度については６０％以上〜８０％以下等）を逸脱しているか否かを判定し、逸脱しているものと判定した場合、逸脱しているものと判定したことを特定する情報（第２管理情報）を表示灯装置１００に送信するように構成してもよい。なお、例えば、タグ装置及びタグ感知器における温度又は湿度を測定する機能、又は、逸脱しているか否かを判定する機能が、「第２管理手段」に相当する。なお、ここでは、湿度及び温度の両方を用いる場合を例示したが、一方のみを用いてもよい。
【００６４】
そして、タグ装置又はタグ感知器が、逸脱しているものと判定したことを特定する情報を送信した場合、表示灯装置１００の通信部は、アンテナとして機能する取付部２を介して当該情報を受信し、この場合、示灯装置１００の不図示の制御部（例えば、ＣＰＵ等）は、居住領域の環境について警報して報知するために、発光部１１から光を出力する。
【００６５】
（他の機器について‐通報手段）
また、「（他の機器について‐第１管理手段）」又は「（他の機器について‐第２管理手段）」で説明したタグ装置又はタグ感知器の機能に加えて又は当該機能の代わりに、居住領域の関係者が携帯する端末装置（例えば、スマートフォン等）からの通報要求（警備会社に対する通報の要求）を受け付けた場合に、警備会社の管理担当者側に通報する機能（当該機能としては公知の構成を適用できるので詳細な説明は省略する）を、タグ感知器に設けてもよい。そして、タグ感知器が、居住領域の関係者の端末装置からの通報要求を任意の手法（例えば、携帯電話網又は通信ネットワークを介して受信する手法）で受信した場合に、警備会社の管理担当者側の端末（例えば、サーバコンピュータ、あるいは、管理担当者が携帯するスマートフォン等）に居住領域に訪問する必要がある旨を示す通報を行い（つまり、訪問する必要がある旨を示す電気信号である通報信号の送信を行い）、また、通報したことを示す情報（通報情報）を表示灯装置１００に送信するように構成してもよい。なお、例えば、タグ感知器による通報を行う機能が、「通報手段」に相当する。
【００６６】
そして、タグ感知器が、通報したことを示す情報を送信した場合、表示灯装置１００の通信部は、アンテナとして機能する取付部２を介して当該情報を受信し、この場合、表示灯装置１００の不図示の制御部（例えば、ＣＰＵ等）は、通報したことを警報して報知するために、発光部１１から光を出力する。
【００６７】
（他の機器について‐組み合わせ）
また、他の機器としては、実施の形態で説明した感知器、あるいは、上述の管理装置を一緒に用いてもよく、この場合、表示灯装置１００は、何れの警報を行っているかを識別させるために相互に異なる発光態様にて、発光部１１を発光させるように構成してもよい。具体的には、表示灯装置１００が他の機器から受信する情報又は信号と、当該受信する情報又は信号に対応する発光部１１の発光態様とを相互に関連付けた情報を表示灯装置１００の不図示の記録部（メモリ等）に記録しておき、表示灯装置１００が他の機器から情報又は信号を受信した場合に、当該記録されている情報を参照して、受信した情報又は信号に対応する発光態様を特定し、特定した発光態様にて発光部１１を発光させてもよい。なお、これらの他の機器と表示灯装置１００を含めて、警報システムであるものと解釈してもよい。
【００６８】
（制御部について）
また、上記実施の形態で説明した表示灯装置１００の不図示の制御部を、他の任意の技術で実現してもよく、例えば、当該制御部を組み込みマイコンを用いて実現してもよい。この場合、ＯＳを用いない専用ソフトを出荷前に表示灯装置１００に書き込んだ上で、当該専用ソフトが書き込まれた状態の表示灯装置１００を出荷して用いてもよい。
【００６９】
（付記）
付記１の表示灯装置は、居住領域についての警報を発光により行う表示灯装置であって、他の機器との間で通信を行う通信手段と、発光手段を備える本体部と、前記本体部を前記居住領域の扉に取り付ける取付手段と、を備え、前記表示灯装置は、前記通信手段を介して行われる通信に基づいて、前記発光手段を発光させる。
【００７０】
付記２の表示灯装置は、付記１に記載の表示灯装置において、前記取付手段は、前記扉の上部に取り付けられる。
【００７１】
付記３の表示灯装置は、付記２に記載の表示灯装置において、前記本体部は、前記扉の一方の面に設けられ、前記取付手段は、前記本体部から前記扉の天面を介して当該扉の他方の面まで、当該扉に沿って延在しており、前記扉の一部を挟持している。
【００７２】
付記４の表示灯装置は、付記１から３の何れか一項に記載の表示灯装置において、前記通信手段は、無線通信を行い、前記取付手段は、前記無線通信で用いられるアンテナである。
【００７３】
付記５の表示灯装置は、付記１から４の何れか一項に記載の表示灯装置において、前記表示灯装置は、異常である火災についての警報を発光により行う。
【００７４】
付記６の表示灯装置は、付記１から５の何れか一項に記載の表示灯装置において、前記他の機器は、前記居住領域に居住している管理対象者を管理するための第１管理手段を含み、前記通信手段は、前記第１管理手段が管理している前記管理対象者の状態に関する情報である第１管理情報を受信し、前記表示灯装置は、前記通信手段が受信した前記第１管理情報に基づいて、前記発光手段を発光させる。
【００７５】
付記７の表示灯装置は、付記１から６の何れか一項に記載の表示灯装置において、前記他の機器は、前記居住領域を管理するための第２管理手段を含み、前記通信手段は、前記第２管理手段が管理している前記居住領域の環境に関する情報である第２管理情報を受信し、前記表示灯装置は、前記通信手段が受信した前記第２管理情報に基づいて、前記発光手段を発光させる。
【００７６】
付記８の表示灯装置は、付記１から７の何れか一項に記載の表示灯装置において、前記他の機器は、前記居住領域の管理者に通報する通報手段を含み、前記通信手段は、前記通報手段が前記管理者に通報したことを示す情報である通報情報を受信し、前記表示灯装置は、前記通信手段が受信した前記通報情報に基づいて、前記発光手段を発光させる。
【００７７】
（付記の効果）
付記１に記載の表示灯装置によれば、本体部を居住領域の扉に取り付ける取付手段を備えることにより、例えば、扉を加工せずに本体部を取り付けることができるので、表示灯装置の取り付けを容易に行うことが可能となる。特に、本体部を扉における居住領域の外部側に取り付けた場合、居住領域の外部に対して警報を行うことができるので、居住領域の外部に対して火災等の発生を報知することができ、居住領域の外部の人に、通報、避難、消火、又は救助等の防災に関する適切な対応をとらせることが可能となる。また、警報を発光により行うことにより、例えば、騒然としている場合においても、視覚を通じて確実に警報を認識させることが可能となる。
【００７８】
付記２に記載の表示灯装置によれば、取付手段は扉の上部に取り付けられることにより、例えば、本体部を比較的高い位置に取り付けることができ、発光手段の光の到達範囲を広げることが可能となる。
【００７９】
付記３に記載の表示灯装置によれば、取付手段は、本体部から扉の天面を介して当該扉の他方の面まで、当該扉に沿って延在しており、扉の一部を挟持することにより、例えば、取付手段を扉の上部に引っ掛けて固定することができるので、表示灯装置を容易に取り付けることが可能となり、また、当該表示灯装置の位置がずれるのを防止することが可能となる。
【００８０】
付記４に記載の表示灯装置によれば、取付手段は無線通信で用いられるアンテナであることにより、例えば、取付手段に対して、本体部を取り付ける機能及び電波を送受信する機能を含む複数の機能を持たせることができるので、部品点数を削減でき、コスト削減及び軽量化を行うことが可能となる。
【００８１】
付記５に記載の表示灯装置によれば、異常である火災についての警報を発光により行うことにより、例えば、火災発生時の騒然とした環境下で、難聴者又は健常者に対して視覚を介して火災発生を警報することができるので、防災性を向上させることが可能となる。
【００８２】
付記６に記載の表示灯装置によれば、受信した第１管理情報に基づいて、発光手段を発光させることにより、例えば、居住領域に居住している管理対象者の状態を報知することが可能となる。特に、例えば、管理対象者の状態として、管理対象者の外出又は帰宅、あるいは、管理対象者の生活リズムの異常等を報知することが可能となる。
【００８３】
付記７に記載の表示灯装置によれば、受信した第２管理情報に基づいて、発光手段を発光させることにより、例えば、居住領域に関する環境を報知することが可能となる。特に、例えば、居住領域の温度又は湿度の異常等を報知することが可能となる。
【００８４】
付記８に記載の表示灯装置によれば、受信した通報情報に基づいて、発光手段を発光させることにより、例えば、通報が行われたことを報知することが可能となる。特に、例えば、通報が行われて居住領域で何等かの異常が発生した可能性を報知することが可能となる。
【符号の説明】
【００８５】
１  本体部
２  取付部
１１  発光部
２１  第１部分
２２  第２部分
２３  第３部分
３１  外側傾斜部分
３２  内側傾斜部分
１００  表示灯装置
１０１  表示灯装置
１０２  表示灯装置
１０３  表示灯装置
９００  扉
【図１】
2020035047.tif 000003
【図２】
2020035047.tif 000004
【図３】
2020035047.tif 000005
【図４】
2020035047.tif 000006
【図５】
2020035047.tif 000007
【図６】
2020035047.tif 000008